(57)【要約】【課題】  スキンパターン読み取り器に用いるテストツールを提供する。【解決手段】  コロイドと固定用挟持器具とを含む。そのうちでは、該コロイドは凹凸表面または平坦表面を有し、且つ、該コロイドは人類皮膚の屈折率と同じ材料で作製された。該固定用挟持器具は該コロイドを固定させるとともに該コロイドを協働させ、該コロイドの凹凸表面を該スキンパターン読み取り器に近づけ、スキンパターン読み取り器の品質管理のテストを行う。そのため、人類の皮膚に似ているような屈折率を有するコロイドを介して、標準化なテストサンプルが建てられるだけでなく、さらに従来には間隔を置いて設置する条こんを有する平面紙またはテスト者のスキンパターンを用いて生じる欠点を解消できる。【選択図】      図１
2007133876.tif 000002
【特許請求の範囲】
【請求項１】
凹凸表面を有し、人類皮膚の屈折率と同じ材料で構成されたコロイドと、
コロイドを固定させるとともに、該コロイドを協働させ、該コロイドの凹凸表面を該スキンパターン読み取り器に近づけ、スキンパターン読み取り器の関連機能テストを行う固定用挟持器具とを含むことを特徴とするスキンパターン読み取り器に用いるテストツール。
【請求項２】
前記人類皮膚の屈折率は１．４〜１．６の間に介在することを特徴とする請求項１記載のスキンパターン読み取り器に用いるテストツール。
【請求項３】
前記コロイドは、人類皮膚の光散乱特性と同じ材料で作製されることを特徴とする請求項１記載のスキンパターン読み取り器に用いるテストツール。
【請求項４】
前記コロイドは、人類皮膚の光減衰特性と同じ材料で作製されることを特徴とする請求項１記載のスキンパターン読み取り器に用いるテストツール。
【請求項５】
前記凹凸表面は、周期性または非周期性の条こんであることを特徴とする請求項１記載のスキンパターン読み取り器に用いるテストツール。
【請求項６】
前記条こんは、直線型、斜線型、同心円または螺旋型条こんであることを特徴とする請求項４記載のスキンパターン読み取り器に用いるテストツール。
【請求項７】
前記凹凸表面の峰間または谷間の幅広さは、０．０１〜１ｍｍの間に介在し、前記凹凸表面の峰と谷の間の深さは．０１〜１ｍｍの間に介在に介在することを特徴とする請求項１記載のスキンパターン読み取り器に用いるテストツール。
【請求項８】
平坦表面を有し、人類皮膚の屈折率と同じ材料で構成されたコロイドと、
コロイドを固定させるとともに、該コロイドを協働させ、該コロイドの平坦表面を該スキンパターン読み取り器に近づけ、スキンパターン読み取り器の品質管理テストを行うための固定用挟持器具とを含むことを特徴とするスキンパターン読み取り器に用いるテストツール。
【請求項９】
前記人類皮膚の屈折率は１．４〜１．６の間に介在することを特徴とする請求項８記載のスキンパターン読み取り器に用いるテストツール。
【請求項１０】
前記コロイドは、人類皮膚の光散乱特性と同じ材料で作製されることを特徴とする請求項８記載のスキンパターン読み取り器に用いるテストツール。
【請求項１１】
前記コロイドは、人類皮膚の光減衰特性と同じ材料で作製されることを特徴とする請求項８記載のスキンパターン読み取り器に用いるテストツール。
【発明の詳細な説明】
【技術分野】
【０００１】
本発明は、スキンパターン読み取り器に用いるテストツールに係り、特に、人類の皮膚に似ているような屈折率を有するコロイドを介して、スキンパターン読み取り器の関連機能をテストするテストツールに関する。
【背景技術】
【０００２】
スキンパターンは、個人の最良の身分証明で、個人毎のスキンパターンはそれぞれ異なり、且つ変更し難い。そのため、スキンパターンの識別により使用者の身分が確認でき、このように高い安全性のある身分識別ツールは、個人保護や身分表示の必要な設備になってしまう。未来人々がより大きな便利や快適を追求するには、一般常用な身分識別手段を代えまたは補助するため、スキンパターン識別が必ず広く使われることは、予期されている。
【０００３】
また、光学式のスキンパターン識別装置について、スキンパターンの凹凸を光の強弱さに切り替え、さらに撮影手段でそれを互いに対応する電気信号に変更させるとともに、得られた電気信号を予め記憶した本人の電気信号と比べ、本人であるか否かを確認する。
【０００４】
以上のスキンパターン識別装置の重要性から言えば、スキンパターン識別装置のスキンパターン読み取り器が出荷際での品質テストが、非常に重要になり、且つ、使用者の権益に与える影響もとても大きい。一般に、従来のスキンパターン読み取り器のテスト方法は、以下の３種類がある。
【０００５】
一．散乱式（スキャッタリング  タイプ）
該方式では、プリンタに似ているような方式で、スキンパターンの峰および谷からの画像対比信号を直接的に読み取る。通常に、読み取った条こん信号が比較的に強いと、スキンパターンの峰（リッジ）を代表し、条こん信号が比較的に弱いと、スキンパターンの谷（ヴァレー）を代表する。
【０００６】
二．全反射式
スキンパターンの谷部分の屈折率は１で、皮膚の表皮の屈折率は約１．４〜１．５５で、プリズムの屈折率は約１．５である。スキンパターンをスキンパターン読み取り器のプリズムの斜面に平面的に貼り付け、しきい角度（臨界角）より大きい入射角で光源の光ビームをスキンパターンへ投射させ、空気の屈折率とプリズムの屈折率とが大きな差があり、スキンパターンの谷部分に空気が満たされ全反射を発生した後に光路を経て光センサに達するので、該スキンパターン読み取り器のセンサが比較的に明るく見えており、同じ入射角の条件において、皮膚の屈折率とプリズムの屈折率とが比較的に近いため、スキンパターンの峰部分に全反射を殆んど発生しなく皮膚の中を透過するので、該光センサにとって光のロスがあると意味するため、該スキンパターン読み取り器のセンサが比較的に暗く見えている。そのため、谷および峰での全反射を発生するか否かによって、スキンパターン読み取り器のセンサが明暗な条こんを得て、スキンパターンの峰谷の情報を獲得する。
【０００７】
三．近接式スキンパターンの谷部分の空気の屈折率は１で、皮膚の表皮の屈折率は約１．４〜１．５５で、透明カバーの屈折率は約１．５である。そのため、光ビームが指の中からスキンパターンの峰部分および透明カバーを透過すると、皮膚峰部の皮膚の屈折率と透明カバーの屈折率とが比較的に近接しているため、光がこの皮膚／カバー界面を透過する時の透過率が比較的に高く、該スキンパターン読み取り器のセンサが比較的に明るく見えており、光ビームがスキンパターンの谷部を透過し空気を通過すると、スキンパターン谷部の皮膚の屈折率と空気の屈折率とが大きな差があるため、光の透過率が低くなるため、同じ理由で、光束が空気からさらに透明カバーを透過する時に、透過率は、界面両側の屈折率の差が大きいため再びロスされることになるので、該スキンパターン読み取り器のセンサが比較的に暗く見えている。そのため、スキンパターンの谷および峰での全反射を発生するか否かによって、スキンパターン読み取り器のセンサが明暗な条こんを取得し、スキンパターンの峰谷の情報を獲得する。
【０００８】
また、一般に、スキンパターン読み取り器がテストする時にスキンパターンのテスト標準を有させため、従来では間隔を置いて設置する条こんを有する平面紙を用いて、スキンパターンの峰および谷を模擬し、スキンパターン読み取り器の関連機能のテストを行う。しかしながら、前記提起した紙でスキンパターンを模擬する方式は、空気部分の屈折率を真似出来ないため、散乱式のみ適応できるが、全反射式または近接式には適応できない。
【０００９】
全反射式または近接式のテストを行うため、一般人工の方式でテスト者のスキンパターンを直接に使用して関連機能をテストするしか出来ない。このような方式で行われるテストは、真実な使用状態に最も近接するが、人工方式を用いるため、多量な人力が費やされ、テスト効率が高くない欠陥になり、また、テスト者毎のスキンパターンがそれぞれ異なるため、標準化なテストサンプル（ゴールデン  サンプル）が得られない。
【００１０】
そのため、以上のように、従来に掲示されたスキンパターン読み取り器のテストツール（間隔を置いて設置する条こんを有する平面紙、またはテスト者のスキンパターンを含み）は、不便や欠点が明らかに存在され、改良が期待される。
【００１１】
そのため、本発明者は、前記欠点が改良できるのを感心して、長年以来この領域で積み立てた経験により、専念な観察かつ研究をし、さらに学術理論の運用に合せ、やっと合理な設計且つ前記の欠点を有効に改良できた本発明を提案した。
【発明の開示】
【発明が解決しようとする課題】
【００１２】
本発明の主な目的は、人類の皮膚に似ているような屈折率を有するコロイドを介して、標準化なテストサンプルが建てられるだけでなく、従来には間隔を置いて設置する条こんを有する平面紙またはテスト者のスキンパターンを用いて生じる欠点を解消できるスキンパターン読み取り器に用いるテストツールを提供する。また、本発明が真実状況の空気部分を真似できるため、本発明が如何なる従来のスキンパターン読み取り器のテスト方法（例えば、散乱式や全反射式または近接式）に適応でき、スキンパターン読み取り器の関連機能をテストする。
【課題を解決するための手段】
【００１３】
前記目的を達成するため、本発明は、コロイドと固定用挟持器具とを含むスキンパターン読み取り器に用いるテストツールを提供する。そのうちでは、該コロイドは凹凸表面を有し、且つ、該コロイドは人類皮膚の屈折率と同じ材料で構成され、該固定用挟持器具はコロイドを固定させるとともに、該コロイドを協働させ、該コロイドの凹凸表面を該スキンパターン読み取り器に近づけ、スキンパターン読み取り器の関連機能テストを行う。
【００１４】
前記目的を達成するため、本発明は、コロイドと固定用挟持器具とを含むスキンパターン読み取り器に用いるテストツールを提供する。そのうちでは、該コロイドは平坦表面を有し、且つ、該コロイドは人類皮膚の屈折率と同じ材料で作製され、該固定用挟持器具はコロイドを固定させるとともに該コロイドを協働させ、該コロイドの平坦表面を該スキンパターン読み取り器に近づけ、スキンパターン読み取り器の品質管理テストを行う。
【００１５】
本考案が所定の目的を達成するために採用する技術、手段及びその効果をさらに詳細的で具体的に説明するために、以下に本考案に関わる詳しい説明及び添付図面を参照することにより、深く且つ具体的な理解を得られるが、それらの添付図面が参考及び説明のみに使われ、本考案の主張範囲を狭義的に局限するものではないことは言うまでもないことである。
【発明を実施するための最良の形態】
【００１６】
図１および図２は、本発明に係るスキンパターン読み取り器に用いるテストツールの第１実施例の側面図および上面図である。図から見れば分かるように、本発明は、コロイド１と固定用挟持器具２とを含むスキンパターン読み取り器に用いるテストツールを提供する。
【００１７】
該コロイド１は凹凸表面１０を有し、且つ、該コロイド１は人類皮膚の屈折率と同じ材料で構成される。該人類皮膚の屈折率は１．４〜１．６の間に（最も好ましい場合、約１．５である）介在でき、且つ、該凹凸表面１０は、周期性または非周期性の条こんでよい、第１実施例の場合、これらの条こんは直線型条こん１０１である。
【００１８】
また、図３および図４は、本発明に係るスキンパターン読み取り器に用いるテストツールの第２実施例及び第３実施例の上面図である。図から見れば分かるように、これらの条こんはテスト者の必要に応じて、斜線型条こん１０２（図３に示すように）、同心円または螺旋形条こん１０３（図４に示すように）、または如何なる型の選択であれば良い。
【００１９】
また、コロイド１の凹凸表面１０の構造で討論すれば、該凹凸表面１０の峰間または谷間の幅広さｗは、０．０１〜１ｍｍの間に介在する。しかしながら、該幅広さｗと該深さｄの範囲制限は、本発明を限定するものではない。また、該コロイド１も人類皮膚の光透過率と同じ半透明材料で作製できる。
【００２０】
また、該固定用挟持器具２は、固定部材３によりそれぞれ該コロイド１の貫通孔１１を貫通して該固定用挟持器具２にコロイド１を固定させる。しかしながら、該コロイド１を該固定用挟持器具２に固定させる方式は、本発明を限定するものではない、該コロイド１を該固定用挟持器具２に固定させるいずれかの方式が、本発明に保護される範囲である。また、該固定用挟持器具２も該コロイド１を協働でき、該コロイド１の凹凸表面１０を該スキンパターン読み取り器（図に示さず）に近づけ、スキンパターン読み取り器の関連機能テストを行う。
【００２１】
図５は、本発明に係るスキンパターン読み取り器に用いるテストツールの第４実施例の側面図である。図から見れば分かるように、第４実施例と他の実施例との最も大きな違いは、該コロイド１が平坦表面１２を有する点である。そのため、該固定用挟持器具２は該コロイド１の平坦表面１２を協働し該スキンパターン読み取り器（図に示さず）に近づけ、スキンパターン読み取り器の品質管理のテストを行う。即ち、該スキンパターン読み取り器は、センサで該コロイド１の平坦表面１２を検出し、そして全暗または全白なスキンパターン情報を得てから、照明均一か否か並びに全く暗いスキンパターン情報のうち白点（欠陥）が現れるか否かを判断し、または全白スキンパターン情報のうち黒点（欠陥）が現れるか否かを判断する。前記テストによって、スキンパターン読み取り器の品質が標準に適合してるか否かを判断する。
【００２２】
以上のように、本発明は、人類の皮膚に似ているような屈折率を有するコロイド１を介して、標準化なテストサンプルが建てられるだけでなく、従来には間隔を置いて設置する条こんを有する平面紙またはテスト者のスキンパターンを用いて生じる欠点を解消できる。また、本発明が真実状況の空気部分を真似できるため、本発明が如何なる従来のスキンパターン読み取り器のテスト方法（例えば、散乱式や全反射式または近接式）に適応でき、スキンパターン読み取り器の関連機能をテストする。
【００２３】
しかし、前記の説明は、単に本発明の好ましい具体的な実施例の詳細説明及び図面に過ぎず、本発明の特許請求の範囲を局限するものではなく、本発明の主張する範囲は、下記の特許請求の範囲に基づくべき、いずれの当該分野における通常の知識を有する専門家が本発明の分野の中で、適当に変更や修飾などを実施できるが、それらの実施のことが本発明の主張範囲内に納入されるべきことは言うまでもないことである。
【図面の簡単な説明】
【００２４】
【図１】図１は、本発明に係るスキンパターン読み取り器に用いるテストツールの第１実施例の側面図である。
【図２】図２は、本発明に係るスキンパターン読み取り器に用いるテストツールの第１実施例の上面図である。
【図３】図３は、本発明に係るスキンパターン読み取り器に用いるテストツールの第２実施例の上面図である。
【図４】図４は、本発明に係るスキンパターン読み取り器に用いるテストツールの第３実施例の上面図である。
【図５】図５は、本発明に係るスキンパターン読み取り器に用いるテストツールの第４実施例の側面図である。
【符号の説明】
【００２５】
１      コロイド
２      固定用挟持器具
３      固定部材
１０    凹凸表面
１１    貫通孔
１２    平坦表面
１０１  直線型条こん
１０２  斜線型条こん
１０３  螺旋形条こん
【図１】
2007133876.tif 000003
【図２】
2007133876.tif 000004
【図３】
2007133876.tif 000005
【図４】
2007133876.tif 000006
【図５】
2007133876.tif 000007